【手続補正書】
【提出日】平成23年4月6日(2011.4.6)
【手続補正１】
【補正対象書類名】特許請求の範囲
【補正対象項目名】全文
【補正方法】変更
【補正の内容】
【特許請求の範囲】
【請求項１】
第一の信号を入力して第一の波形を出力する第一の波形生成回路と、
前記第一の信号の反転信号を入力して第二の波形を出力する第二の波形生成回路と、
前記第一の波形と第二の波形とを入力して前記第一の信号に対して所定の位相差を有する信号を出力するコンパレータと、を含む移相回路であって、
前記第一及び第二の波形生成回路が、それぞれ
第一の電源に接続された定電流回路と、
出口が出力端子に接続され、入口と第二の電源との間に流れる電流のｎ倍（ｎは１以上の実数）の電流を出口と第二の電源との間に流すカレントミラー回路と、
波形生成回路への入力信号が第一のレベルのときに前記定電流回路に流れる電流を出力端子に流し、前記入力信号が第二のレベルのときに前記定電流回路に流れる電流を前記入口に流すスイッチ回路と、
前記出力端子と固定電位との間に接続された容量と、を含む波形生成回路であり、
前記所定の位相差が前記カレントミラー回路のｎの値に依存する位相差である移相回路。
【請求項２】
前記スイッチ回路が、
ドレイン・ソースの一方が前記定電流回路に、他方が前記カレントミラー回路の入口に、ゲートが前記入力信号に、それぞれ接続された第一の第一導電型ＭＯＳトランジスタと、
ドレイン・ソースの一方が前記定電流回路に、他方が前記出力端子に、ゲートが前記第一の電源と第二の電源との中間電位に、それぞれ接続された第二の第一導電型ＭＯＳトランジスタと、を含む請求項１記載の移相回路。
【請求項３】
前記カレントミラー回路が、
ソースが前記第二の電源に、ドレインとゲートが前記入口に、それぞれ接続された第一の第二導電型ＭＯＳトランジスタと、
ソースが前記第二の電源に、ドレインが前記出口に、ゲートが前記第一の第二導電型ＭＯＳトランジスタのゲートとドレインとに、それぞれ接続された第二の第二導電型ＭＯＳトランジスタと、を含む請求項１または２記載の移相回路。
【請求項４】
第一の信号を入力し、前記第一の信号が第一のレベルのときに第一の電圧から第一の勾配で上昇または下降し、前記第一の信号が前記第一のレベルから第二のレベルに変化すると前記上昇または下降した頂点から前記第一の勾配のｎ倍（ｎは１以上の実数)の第二の勾配で前記第一の電圧まで下降または上昇する第一の波形を出力する第一の波形生成回路と、
前記第一の信号の反転信号を入力し、前記第一の信号が前記第二のレベルのときに前記第一の電圧から前記第一の勾配と実質同等の勾配で上昇または下降し、前記第一の信号が前記第二のレベルから第一のレベルに変化するとその上昇または下降した頂点から前記第二の勾配と実質同一の勾配で前記第一の電圧まで下降または上昇する第二の波形を出力する第二の波形生成回路と、
前記第一の波形と第二の波形とを入力して前記第一の信号に対して前記ｎの値に依存する位相差を有する信号を出力するコンパレータと、を含む移相回路。
【請求項５】
第二の信号の立ち下りに同期して前記第二の信号を２分周する第一の分周回路と、
前記第二の信号の立ち上がりに同期して前記第二の信号を２分周する第二の分周回路と、
前記第一の分周回路の出力を前記第一の信号として入力する第一の前記移相回路と、
前記第二の分周回路の出力を前記第一の信号として入力する第二の前記移相回路と、
前記第一の移相回路の出力信号と、前記第二の移相回路の出力信号とを合成するゲート回路と、を含む請求項１乃至４いずれか１項記載の移相回路。
【請求項６】
前記ゲート回路が、排他的論理和（ＸＯＲ）、または、否定排他的論理和（ＸＮＯＲ）回路である請求項５記載の移相回路。
【請求項７】
第一の移相回路と、
第二の移相回路と、を備え、
前記第一の移相回路は請求項４記載の移相回路であって、
前記コンパレータは第一のコンパレータであって、
前記第一のコンパレータが出力する信号は第二の信号であって、
前記第二の移相回路は、
第三の信号を入力し、前記第三の信号が前記第一のレベルのときに前記第一の電圧から前記第一の勾配で上昇または下降し、前記第三の信号が前記第一のレベルから前記第二のレベルに変化すると前記上昇または下降した頂点から前記第二の勾配で前記第一の電圧まで下降または上昇する第三の波形を出力する第三の波形生成回路と、
前記第三の信号の反転信号を入力し、前記第三の信号が前記第二のレベルのときに前記第一の電圧から前記第一の勾配と実質同等の勾配で上昇または下降し、前記第三の信号が前記第二のレベルから前記第一のレベルに変化するとその上昇または下降した頂点から前記第二の勾配と実質同一の勾配で前記第一の電圧まで下降または上昇する第四の波形を出力する第四の波形生成回路と、
前記第三の波形と前記第四の波形とを入力して前記第三の信号に対して前記ｎの値に依存する位相差を有する第四の信号を出力する第二のコンパレータと、
を備え、
さらに、
第五の信号の立ち下りに同期して前記第五の信号を２分周し、前記第一の信号を生成する第一の分周回路と、
前記第五の信号の立ち上がりに同期して前記第五の信号を２分周し、前記第三の信号を生成する第二の分周回路と、
前記第二の信号と前記第四の信号とを入力し、前記第五の信号に対して前記ｎの値に依存する位相差を有する信号を生成するゲート回路と、
を備える装置。
【請求項８】
前記ゲート回路が、排他的論理和（ＸＯＲ）、または、否定排他的論理和（ＸＮＯＲ）回路である請求項７記載の装置。
【請求項９】
入力信号のレベルに応じて第一の信号を生成し、
前記入力信号のレベルに応じて第二の信号を生成し、
前記第一の信号を前記第二の信号と比較し、
前記比較結果に基づいて前記入力信号の位相をずらした出力信号を生成する方法であって、
前記第一の信号の生成は、
前記入力信号のレベルが第一のレベルから第二のレベルに変化したときに、第一の電圧から第一の勾配で立ち上がる前記第一の信号を生成し、
前記入力信号のレベルが前記第二のレベルから前記第一のレベルに変化したときに、前記入力信号が第二のレベルにあるときに到達した電圧から前記第一の勾配のｎ倍（ｎは１以上の実数）の第二の勾配で前記第一の電圧まで下降する前記第一の信号を生成し、
前記第二の信号の生成は、
前記入力信号のレベルが第二のレベルから第一のレベルに変化したときに、第一の電圧から前記第一の勾配で立ち上がる前記第二の信号を生成し、
前記入力信号のレベルが前記第一のレベルから前記第二のレベルに変化したときに、前記入力信号が第一のレベルにあるときに到達した電圧から前記第二の勾配で前記第一の電圧まで下降する前記第二の信号を生成する方法。
【請求項１０】
前記第一の信号は、第一の生成回路によって生成され、
前記第二の信号の生成は、前記入力信号の反転信号を入力する第二の生成回路によって生成され、
前記第一の信号の前記第二の信号との比較は、前記入力信号とは異なる出力信号の位相を生成するコンパレータによって行われることを特徴とする請求項９記載の方法。
【請求項１１】
前記第一の信号の生成と、前記第二の信号の生成と、前記比較と、前記出力信号の生成は、位相回路によって行われる請求項９記載の方法。
【請求項１２】
前記比較結果に基づいて生成される前記出力信号は、前記入力信号に対して前記第二の勾配と前記第一の勾配との前記ｎの比に基づく位相差を有する請求項９乃至１１いずれか１項記載の方法。
【手続補正２】
【補正対象書類名】明細書
【補正対象項目名】発明の名称
【補正方法】変更
【補正の内容】
【発明の名称】移相回路、装置及び方法